(57)【要約】【課題】  保護部材を扉に確実に固定して、冷蔵庫の運搬時等における扉の損傷を防止する冷蔵庫扉の保護構造を提供することにある。【解決手段】  上から下へ順に配置されている第２の扉本体２、第１の扉本体１および第３の扉本体３と、上記第１の扉本体１および上記第３の扉本体３に取り付けられる保護部材５とを備えている。上記保護部材５の第１の突起部５１は、上記第２の扉本体２の下面によって、上記第１の扉本体１の凹溝１１から抜け出ないように上方向の移動を規制されている。また、上記保護部材５の第２の突起部５２は、上記第１の扉本体１の下面によって、上記第３の扉本体３の凹溝３１から抜け出ないように上方向の移動を規制されている。このように、上記保護部材５を上記第１の扉本体１と上記第３の扉本体３に確実に固定することができる。【選択図】  図２
2006123979.tif 000002
【特許請求の範囲】
【請求項１】
冷蔵庫本体と、
この冷蔵庫本体に開閉可能に取り付けられている第１の扉本体と、
上記第１の扉本体に取り付けられて少なくとも上記第１の扉本体の前面を保護する保護部材と
を備え、
上記保護部材は、上記第１の扉本体の左右側面および上下面の内の少なくとも上下面に接触する突起部を有し、
上記第１の扉本体の上面には、凹溝を有し、
上記保護部材の上記突起部は、上記第１の扉本体の上記凹溝に嵌合する第１の突起部と、上記第１の扉本体の下面に接触する第２の突起部とを含み、
上記保護部材の上記第１の突起部は、上記第２の突起部が上記第１の扉本体の下面に接触することによって、上記第１の扉本体の上記凹溝から抜け出ないように上方向の移動を規制されていることを特徴とする冷蔵庫扉の保護構造。
【請求項２】
冷蔵庫本体と、
この冷蔵庫本体に開閉可能に取り付けられている第１の扉本体と、
上記冷蔵庫本体に開閉可能に取り付けられると共に上記第１の扉本体の上側に配置されている第２の扉本体と、
上記第１の扉本体に取り付けられて少なくとも上記第１の扉本体の前面を保護する保護部材と
を備え、
上記保護部材は、上記第１の扉本体の左右側面および上下面の内の少なくとも上面に接触する突起部を有し、
上記第１の扉本体の上面には、上記第１の扉本体および上記第２の扉本体が閉じられた状態で上記第２の扉本体の下面に重なる凹溝を有し、
上記保護部材の上記突起部は、上記第１の扉本体の上記凹溝に嵌合する第１の突起部を含み、
上記保護部材の上記第１の突起部が上記第１の扉本体の上記凹溝に挿入されると共に上記第１の扉本体および上記第２の扉本体が閉じられた状態で、上記保護部材の上記第１の突起部は、上記第２の扉本体の下面によって、上記第１の扉本体の上記凹溝から抜け出ないように上方向の移動を規制されていることを特徴とする冷蔵庫扉の保護構造。
【請求項３】
請求項２に記載の冷蔵庫扉の保護構造において、
上記保護部材の上記突起部は、上記第１の扉本体の下面に接触する第２の突起部を含むことを特徴とする冷蔵庫扉の保護構造。
【請求項４】
請求項１または３に記載の冷蔵庫扉の保護構造において、
上記第１の扉本体の下側に配置されると共に上記第１の扉本体と同じ側が開閉するように上記冷蔵庫本体に取り付けられている第３の扉本体を備え、
上記第３の扉本体の上面には、上記第１の扉本体および上記第３の扉本体が閉じられた状態で上記第１の扉本体の下面に重なる凹溝を有し、
上記保護部材の上記第２の突起部は、上記第３の扉本体の上記凹溝に嵌合することを特徴とする冷蔵庫扉の保護構造。
【請求項５】
請求項４に記載の冷蔵庫扉の保護構造において、
上記第１の扉本体の上記凹溝、および、上記第３の扉本体の上記凹溝は、それぞれ、上記冷蔵庫本体への取付側の側面と反対側にある開閉側の側面から、上記冷蔵庫本体への取付側の側面に向かって、切り込まれており、
上記保護部材の上記第１の突起部は、上記第１の扉本体において上記開閉側の側面から上記凹溝に挿入されると共に、上記保護部材の上記第２の突起部は、上記第３の扉本体において上記開閉側の側面から上記凹溝に挿入されて、上記保護部材は、上記第１の扉本体および上記第３の扉本体に同時に取り付けられることを特徴とする冷蔵庫扉の保護構造。
【請求項６】
請求項５に記載の冷蔵庫扉の保護構造において、
上記保護部材は、上記第１の扉本体および上記第３の扉本体に取り付けられた状態で、上記第１の扉本体の上記開閉側の側面に接触する第３の突起部を有することを特徴とする冷蔵庫扉の保護構造。
【請求項７】
請求項６に記載の冷蔵庫扉の保護構造において、
上記第１の扉本体の上記開閉側の側面側に配置されると共に上記冷蔵庫本体に開閉可能に取り付けられている第４の扉本体を備え、
上記第１の扉本体および上記第４の扉本体が閉じられた状態で、上記保護部材の上記第３の突起部は、上記第１の扉本体の上記開閉側の側面と、上記第４の扉本体の上記第１の扉本体に対向する側面との間に、挟まれることを特徴とする冷蔵庫扉の保護構造。
【発明の詳細な説明】
【技術分野】
【０００１】
この発明は、例えば、冷蔵庫の運搬時に、冷蔵庫扉への損傷を防止する冷蔵庫扉の保護構造に関する。
【背景技術】
【０００２】
従来の冷蔵庫扉の保護構造は、冷蔵庫の扉の前面を、ほぼ一定の空間部をもって覆う包装容器において、この空間部に保護部材を備えていた（特開２００３−７２８４９号公報：特許文献１参照）。
【０００３】
この保護部材は、断面略三角形に組み立てられ、上記保護部材の一辺が上記扉の前面と当接し、上記保護部材の上記一辺に対向する頂点が、上記包装容器と当接することで、外部からの衝撃に対して上記扉を保護していた。
【０００４】
具体的に述べると、上記保護部材は、扉固定部を有し、上記扉は、前方に突出したドアハンドルを有し、上記保護部材の上記扉固定部を上記扉の上記ドアハンドルに上方から引っ掛けることで、上記保護部材を上記扉に取り付けていた。
【０００５】
しかしながら、上記従来の冷蔵庫扉の保護構造では、上記保護部材は、上記ドアハンドルに上方から引っ掛けられて、上記扉に取り付けられていただけなので、上記保護部材に上向きの力がかかった場合、上記保護部材が上記ドアハンドルから容易に離脱する欠点があった。このため、例えば、冷蔵庫の運搬時に、上記保護部材が冷蔵庫から離脱して、上記冷蔵庫の扉が損傷するおそれがあった。
【特許文献１】特開２００３−７２８４９号公報
【発明の開示】
【発明が解決しようとする課題】
【０００６】
そこで、この発明の課題は、保護部材を扉に確実に固定して、冷蔵庫の運搬時等における扉の損傷を防止する冷蔵庫扉の保護構造を提供することにある。
【課題を解決するための手段】
【０００７】
上記課題を解決するため、この発明の冷蔵庫扉の保護構造は、
冷蔵庫本体と、
この冷蔵庫本体に開閉可能に取り付けられている第１の扉本体と、
上記第１の扉本体に取り付けられて少なくとも上記第１の扉本体の前面を保護する保護部材と
を備え、
上記保護部材は、上記第１の扉本体の左右側面および上下面の内の少なくとも上下面に接触する突起部を有し、
上記第１の扉本体の上面には、凹溝を有し、
上記保護部材の上記突起部は、上記第１の扉本体の上記凹溝に嵌合する第１の突起部と、上記第１の扉本体の下面に接触する第２の突起部とを含み、
上記保護部材の上記第１の突起部は、上記第２の突起部が上記第１の扉本体の下面に接触することによって、上記第１の扉本体の上記凹溝から抜け出ないように上方向の移動を規制されていることを特徴としている。
【０００８】
この発明の冷蔵庫扉の保護構造によれば、上記保護部材の上記第１の突起部は、上記第２の突起部が上記第１の扉本体の下面に接触することによって、上記第１の扉本体の上記凹溝から抜け出ないように上方向の移動を規制されているので、簡単な構成にて、上記保護部材を上記第１の扉本体に確実に固定することができる。例えば、冷蔵庫の運搬時に、上記保護部材に上向きの力がかかっても、上記保護部材が冷蔵庫から離脱することを防ぐことができて、少なくとも上記第１の扉本体の損傷を防止することができる。
【０００９】
また、上記保護部材の上記第１の突起部は、上記第１の扉本体の上記凹溝に嵌合するので、上記保護部材は、上記第１の扉本体の前方へ外れることがない。このように、上記保護部材を、仮止めテープにて、上記冷蔵庫に固定する必要がなくて、仮止めテープは、不要になる。
【００１０】
また、この発明の冷蔵庫扉の保護構造は、
冷蔵庫本体と、
この冷蔵庫本体に開閉可能に取り付けられている第１の扉本体と、
上記冷蔵庫本体に開閉可能に取り付けられると共に上記第１の扉本体の上側に配置されている第２の扉本体と、
上記第１の扉本体に取り付けられて少なくとも上記第１の扉本体の前面を保護する保護部材と
を備え、
上記保護部材は、上記第１の扉本体の左右側面および上下面の内の少なくとも上面に接触する突起部を有し、
上記第１の扉本体の上面には、上記第１の扉本体および上記第２の扉本体が閉じられた状態で上記第２の扉本体の下面に重なる凹溝を有し、
上記保護部材の上記突起部は、上記第１の扉本体の上記凹溝に嵌合する第１の突起部を含み、
上記保護部材の上記第１の突起部が上記第１の扉本体の上記凹溝に挿入されると共に上記第１の扉本体および上記第２の扉本体が閉じられた状態で、上記保護部材の上記第１の突起部は、上記第２の扉本体の下面によって、上記第１の扉本体の上記凹溝から抜け出ないように上方向の移動を規制されていることを特徴としている。
【００１１】
この発明の冷蔵庫扉の保護構造によれば、上記保護部材の上記第１の突起部は、上記第２の扉本体の下面によって、上記第１の扉本体の上記凹溝から抜け出ないように上方向の移動を規制されているので、上記保護部材を上記第１の扉本体に確実に固定することができる。例えば、冷蔵庫の運搬時に、上記保護部材に上向きの力がかかっても、上記保護部材が冷蔵庫から離脱することを防ぐことができて、少なくとも上記第１の扉本体の損傷を防止することができる。
【００１２】
また、上記保護部材の上記第１の突起部は、上記第１の扉本体の上記凹溝に嵌合するので、上記保護部材は、上記第１の扉本体の前方へ外れることがない。このように、上記保護部材を、仮止めテープにて、上記冷蔵庫に固定する必要がなくて、仮止めテープは、不要になる。
【００１３】
また、上記第１の扉本体の上面の上記凹溝は、上記第１の扉本体および上記第２の扉本体が閉じられた状態で上記第２の扉本体の下面に重なるので、上記第１の扉本体の上記凹溝は、デッドスペースに設けられており、邪魔にならない。
【００１４】
また、一実施形態の冷蔵庫扉の保護構造では、上記保護部材の上記突起部は、上記第１の扉本体の下面に接触する第２の突起部を含んでいる。
【００１５】
この一実施形態の冷蔵庫扉の保護構造によれば、上記保護部材の上記突起部は、上記第１の扉本体の下面に接触する第２の突起部を含んでいるので、上記保護部材を上記第１の扉本体に確実に固定することができる。
【００１６】
また、一実施形態の冷蔵庫扉の保護構造では、
上記第１の扉本体の下側に配置されると共に上記第１の扉本体と同じ側が開閉するように上記冷蔵庫本体に取り付けられている第３の扉本体を備え、
上記第３の扉本体の上面には、上記第１の扉本体および上記第３の扉本体が閉じられた状態で上記第１の扉本体の下面に重なる凹溝を有し、
上記保護部材の上記第２の突起部は、上記第３の扉本体の上記凹溝に嵌合する。
【００１７】
この一実施形態の冷蔵庫扉の保護構造によれば、上記保護部材の上記第２の突起部は、上記第３の扉本体の上記凹溝に嵌合するので、上記保護部材は、上記第１の扉本体と上記第３の扉本体に取り付けられるので、上記保護部材に上記第１の扉本体と上記第３の扉本体が開く方向の力がかかっても、上記第１の扉本体と上記第３の扉本体が、共働して、開くことを防ぐことができる。例えば、冷蔵庫の運搬時に、上記第１の扉本体と上記第３の扉本体の開きを防ぐことができて、上記第１の扉本体と上記第３の扉本体の損傷を防止することができる。また、上記第３の扉本体の上面の上記凹溝は、上記第１の扉本体および上記第３の扉本体が閉じられた状態で上記第１の扉本体の下面に重なるので、上記第３の扉本体の上記凹溝は、デッドスペースに設けられており、邪魔にならない。
【００１８】
また、一実施形態の冷蔵庫扉の保護構造では、上記保護部材の上記第１の突起部および上記第２の突起部は、断面Ｌ字形状である。
【００１９】
また、一実施形態の冷蔵庫扉の保護構造では、上記第１の扉本体の上記凹溝、および、上記第３の扉本体の上記凹溝は、指の係り部としてのドアハンドルを兼ねている。
【００２０】
また、一実施形態の冷蔵庫扉の保護構造では、
上記第１の扉本体の上記凹溝、および、上記第３の扉本体の上記凹溝は、それぞれ、上記冷蔵庫本体への取付側の側面と反対側にある開閉側の側面から、上記冷蔵庫本体への取付側の側面に向かって、切り込まれており、
上記保護部材の上記第１の突起部は、上記第１の扉本体において上記開閉側の側面から上記凹溝に挿入されると共に、上記保護部材の上記第２の突起部は、上記第３の扉本体において上記開閉側の側面から上記凹溝に挿入されて、上記保護部材は、上記第１の扉本体および上記第３の扉本体に同時に取り付けられる。
【００２１】
この一実施形態の冷蔵庫扉の保護構造によれば、上記保護部材は、上記第１の扉本体と上記第３の扉本体に同時に取り付けられるので、上記保護部材を冷蔵庫へ迅速に取り付けることができて、作業性が向上する。
【００２２】
また、一実施形態の冷蔵庫扉の保護構造では、
上記保護部材の上記第２の突起部が上記第３の扉本体の上記凹溝に挿入されると共に上記第１の扉本体および上記第３の扉本体が閉じられた状態で、上記保護部材の上記第２の突起部は、上記第１の扉本体の下面によって、上記第３の扉本体の上記凹溝から抜け出ないように上方向の移動を規制されている。
【００２３】
この一実施形態の冷蔵庫扉の保護構造によれば、上記保護部材の上記第２の突起部は、上記第１の扉本体の下面によって、上記第３の扉本体の上記凹溝から抜け出ないように上方向の移動を規制されているので、上記保護部材を上記第１の扉本体と上記第３の扉本体に確実に固定することができる。このように、上記保護部材が冷蔵庫から離脱することを一層確実に防ぐことができる。
【００２４】
また、一実施形態の冷蔵庫扉の保護構造では、
上記保護部材は、上記第１の扉本体および上記第３の扉本体に取り付けられた状態で、上記第１の扉本体の上記開閉側の側面に接触する第３の突起部を有する。
【００２５】
この一実施形態の冷蔵庫扉の保護構造によれば、上記保護部材の上記第３の突起部が、上記第１の扉本体の上記開閉側の側面に接触することで、上記保護部材は、上記第１の扉本体に対して、上記冷蔵庫本体への取付側への移動を抑制される。例えば、冷蔵庫の運搬時に、上記保護部材の位置ずれを防ぐことができて、上記第１の扉本体と上記第３の扉本体の損傷を防止することができる。
【００２６】
また、上記保護部材の上記第３の突起部が、上記第１の扉本体の上記開閉側の側面に接触することで、上記保護部材が上記第１の扉本体と上記第３の扉本体に取り付けられた目安になって、上記保護部材を冷蔵庫に速やかに取り付けることができて、作業性が一層向上する。
【００２７】
また、一実施形態の冷蔵庫扉の保護構造では、
上記第１の扉本体の上記開閉側の側面側に配置されると共に上記冷蔵庫本体に開閉可能に取り付けられている第４の扉本体を備え、
上記第１の扉本体および上記第４の扉本体が閉じられた状態で、上記保護部材の上記第３の突起部は、上記第１の扉本体の上記開閉側の側面と、上記第４の扉本体の上記第１の扉本体に対向する側面との間に、挟まれる。
【００２８】
この一実施形態の冷蔵庫扉の保護構造によれば、上記保護部材の上記第３の突起部は、上記第１の扉本体の上記開閉側の側面と、上記第４の扉本体の上記第１の扉本体に対向する側面との間に、挟まれるので、上記保護部材は、冷蔵庫に対して、上下左右方向に確実に位置決めされる。このように、上記保護部材が冷蔵庫から離脱することを一層確実に防ぐことができる。
【００２９】
また、一実施形態の冷蔵庫扉の保護構造では、上記保護部材は、上記第１の扉本体および上記第３の扉本体に取り付けられると共に上記第１の扉本体、上記第２の扉本体、上記第３の扉本体および上記第４の扉本体が閉じられた状態で、上記保護部材は、上記第１の扉本体、上記第２の扉本体、上記第３の扉本体および上記第４の扉本体の前面に重なる。
【００３０】
この一実施形態の冷蔵庫扉の保護構造によれば、上記保護部材は、上記第１の扉本体、上記第２の扉本体、上記第３の扉本体および上記第４の扉本体の前面に重なるので、冷蔵庫の運搬時等に、上記第１〜上記第４の扉本体の損傷および開きを防止できる。
【００３１】
また、一実施形態の冷蔵庫扉の保護構造では、上記保護部材は、一体成型からなる。
【００３２】
この一実施形態の冷蔵庫扉の保護構造によれば、上記保護部材は、一体成型からなるので、上記保護部材を上記第１の扉本体に取り付ける前に、上記保護部材を組み立てる必要がなくて、上記保護部材をそのまま上記第１の扉本体に取り付けることができて、作業性が向上する。
【００３３】
また、一実施形態の冷蔵庫扉の保護構造では、上記保護部材は、発泡スチロールからなる。
【００３４】
この一実施形態の冷蔵庫扉の保護構造によれば、上記保護部材は、発泡スチロールからなるので、上記保護部材は、軽量であり、上記保護部材を容易に持ち運ぶことができる。また、上記保護部材の製造や加工が、容易になる。
【発明の効果】
【００３５】
この発明の冷蔵庫扉の保護構造によれば、上記保護部材の上記第１の突起部は、上記第２の突起部が上記第１の扉本体の下面に接触することによって、上記第１の扉本体の上記凹溝から抜け出ないように上方向の移動を規制されているので、簡単な構成にて、上記保護部材を上記第１の扉本体に確実に固定することができて、冷蔵庫の運搬時等における冷蔵庫の扉の損傷を防止できる。
【００３６】
また、この発明の冷蔵庫扉の保護構造によれば、上記保護部材の上記第１の突起部は、上記第２の扉本体の下面によって、上記第１の扉本体の上記凹溝から抜け出ないように上方向の移動を規制されているので、上記保護部材を上記第１の扉本体に確実に固定することができて、冷蔵庫の運搬時等における冷蔵庫の扉の損傷を防止できる。
【発明を実施するための最良の形態】
【００３７】
以下、この発明を図示の実施の形態により詳細に説明する。
【００３８】
図１は、この発明の冷蔵庫扉の保護構造の一実施形態である斜視図を示している。この冷蔵庫扉の保護構造は、冷蔵庫本体６と、この冷蔵庫本体６に開閉可能に取り付けられている第１の扉本体１と、上記冷蔵庫本体６に開閉可能に取り付けられると共に上記第１の扉本体１の上側に配置されている第２の扉本体２と、上記第１の扉本体１の下側に配置されると共に上記第１の扉本体１と同じ側が開閉するように上記冷蔵庫本体６に取り付けられている第３の扉本体３と、上記第１の扉本体１の上記開閉側の側面側に配置されると共に上記冷蔵庫本体６に開閉可能に取り付けられている第４の扉本体４と、上記第１の扉本体１および上記第３の扉本体３に取り付けられて少なくとも上記第１の扉本体１および上記第３の扉本体３の前面を保護する保護部材５と、を備えている。
【００３９】
そして、上記保護部材５を取り付けられた冷蔵庫は、（図示しない）包装容器に覆われて、運搬される。このとき、上記保護部材５は、外部からの衝撃に対して、冷蔵庫扉を保護する。
【００４０】
上記第１の扉本体１は、上記冷蔵庫本体６の下部の左右他方側（右側）に取り付けられている製氷室扉である。上記第１の扉本体１は、左側が開閉するように、上記冷蔵庫本体６に取り付けられている。すなわち、上記第１の扉本体１は、右開きである。
【００４１】
上記第２の扉本体２は、上記冷蔵庫本体６の上部に取り付けられている冷蔵室扉である。上記第２の扉本体２は、左右両側が開閉するように、上記冷蔵庫本体６に取り付けられている。すなわち、上記第２の扉本体２は、左右両開きである。
【００４２】
上記第３の扉本体３は、上記第１の扉本体１の下側で、上記冷蔵庫本体６の下部の左右他方側（右側）に、取り付けられている冷蔵室扉である。上記第３の扉本体３は、左側が開閉するように、上記冷蔵庫本体６に取り付けられている。すなわち、上記第３の扉本体３は、右開きである。
【００４３】
上記第４の扉本体４は、上記冷蔵庫本体６の下部の左右一方側（左側）に取り付けられている野菜室扉である。上記第４の扉本体４は、右側が開閉するように、上記冷蔵庫本体６に取り付けられている。すなわち、上記第４の扉本体４は、左開きである。
【００４４】
上記第１の扉本体１および上記第３の扉本体３と、上記第４の扉本体４とは、観音開きである。
【００４５】
図２の側面断面図に示すように、上記第１の扉本体１の上面には、上記第１の扉本体１および上記第２の扉本体２が閉じられた状態で上記第２の扉本体２の下面に重なる凹溝１１を有する。上記第１の扉本体１の上記凹溝１１は、上記冷蔵庫本体６への取付側の側面と反対側にある開閉側の側面１２から、上記冷蔵庫本体６への取付側の側面に向かって、切り込まれている。上記第１の扉本体１の上記凹溝１１は、指の係り部としてのドアハンドルを兼ねている。
【００４６】
上記第３の扉本体３の上面には、上記第１の扉本体１および上記第３の扉本体３が閉じられた状態で上記第１の扉本体１の下面に重なる凹溝３１を有する。上記第３の扉本体３の上記凹溝３１は、上記冷蔵庫本体６への取付側の側面と反対側にある開閉側の側面３２から、上記冷蔵庫本体６への取付側の側面に向かって、切り込まれている。上記第３の扉本体３の上記凹溝３１は、指の係り部としてのドアハンドルを兼ねている。
【００４７】
図２と図３に示すように、上記保護部材５は、平板状の本体部５０と、この本体部５０の一面に設けられると共に水平方向に延びている第１の突起部５１と、この第１の突起部５１の下側で上記本体部５０の一面に設けられると共に水平（左右）方向に延びている第２の突起部５２と、上記第１の突起部５１と上記第２の突起部５２とを連結する垂直（上下）方向に延びている第３の突起部５３とを備える。
【００４８】
すなわち、上記第１の突起部５１、上記第２の突起部５２および上記第３の突起部５３は、コの字状に形成される。上記保護部材５は、例えば、発泡スチロール等の一体成型からなる。
【００４９】
上記第１の突起部５１は、断面Ｌ字形状であり、上記第１の扉本体１の上記凹溝５１に嵌合する。上記第２の突起部５２は、断面Ｌ字形状であり、上記第３の扉本体３の上記凹溝５３に嵌合する。
【００５０】
図４と図５に示すように、上記第１の扉本体１および上記第３の扉本体３が開いた状態で、上記保護部材５の上記第１の突起部５１は、上記第１の扉本体１において上記開閉側の側面１２から上記凹溝１１に挿入される。
【００５１】
同時に、上記保護部材５の上記第２の突起部５２は、上記第３の扉本体３において上記開閉側の側面３２から上記凹溝３１に挿入される。
【００５２】
そして、上記保護部材５は、上記第１の扉本体１および上記第３の扉本体３に同時に取り付けられる。すなわち、上記保護部材５は、上記第１の扉本体１および上記第３の扉本体３に、スライド装着される。このとき、上記保護部材５の上記第３の突起部５３は、上記第１の扉本体１の上記開閉側の側面１２に接触する。
【００５３】
図１と図２に示すように、上記第１の扉本体１、上記第２の扉本体２、上記第３の扉本体３および上記第４の扉本体４が閉じられた状態で、上記保護部材５の上記第１の突起部５１は、上記第２の扉本体２の下面によって、上記第１の扉本体１の上記凹溝１１から抜け出ないように上方向の移動を規制されている。すなわち、上記第１の突起部５１の高さ寸法は、上記第１の扉本体１の上面と上記第２の扉本体２の下面との間の寸法よりも小さい。
【００５４】
同時に、上記保護部材５の上記第２の突起部５２は、上記第１の扉本体１の下面によって、上記第３の扉本体３の上記凹溝３１から抜け出ないように上方向の移動を規制されている。すなわち、上記第２の突起部５２の高さ寸法は、上記第３の扉本体３の上面と上記第１の扉本体１の下面との間の寸法よりも小さい。
【００５５】
同時に、上記保護部材５の上記第３の突起部５３は、上記第１の扉本体１の上記開閉側の側面１２と、上記第４の扉本体４の上記第１の扉本体１に対向する側面４２（図４参照）との間に、挟まれる。
【００５６】
そして、上記保護部材５の本体部５０は、上記第１の扉本体１、上記第２の扉本体２、上記第３の扉本体３および上記第４の扉本体４の前面に重なる。
【００５７】
なお、上記保護部材５を上記第１の扉本体１および上記第３の扉本体３から取り外す場合、図５に示すように、上記第１の扉本体１および上記第３の扉本体３を開けて、上記保護部材５を、上記第１の扉本体１および上記第３の扉本体３に対してスライドさせて、取り外す。
【００５８】
上記構成の冷蔵庫扉の保護構造によれば、上記保護部材５の上記第１の突起部５１は、上記第２の突起部５２が上記第１の扉本体１の下面に接触することによって、かつ、上記第２の扉本体２の下面によって、上記第１の扉本体１の上記凹溝１１から抜け出ないように上方向の移動を規制されているので、上記保護部材５を上記第１の扉本体１に確実に固定することができる。例えば、冷蔵庫の運搬時に、上記保護部材５に上向きの力がかかっても、上記保護部材５が冷蔵庫から離脱することを防ぐことができて、少なくとも上記第１の扉本体１の損傷を防止することができる。
【００５９】
また、上記保護部材５の上記第１の突起部５１は、上記第１の扉本体１の上記凹溝１１に嵌合するので、上記保護部材５は、上記第１の扉本体１の前方へ外れることがない。このように、上記保護部材５を、仮止めテープにて、上記冷蔵庫に固定する必要がなくて、仮止めテープは、不要になる。
【００６０】
また、上記第１の扉本体１の上面の上記凹溝１１は、上記第１の扉本体１および上記第２の扉本体２が閉じられた状態で上記第２の扉本体２の下面に重なるので、上記第１の扉本体１の上記凹溝１１は、デッドスペースに設けられており、邪魔にならない。
【００６１】
また、上記保護部材５は、上記第３の扉本体３の上記凹溝３１に嵌合する第２の突起部５２を有するので、上記保護部材５は、上記第１の扉本体１と上記第３の扉本体３に取り付けられるので、上記保護部材５に上記第１の扉本体１と上記第３の扉本体３が開く方向の力がかかっても、上記第１の扉本体１と上記第３の扉本体３が、共働して、開くことを防ぐことができる。例えば、冷蔵庫の運搬時に、上記第１の扉本体１と上記第３の扉本体３の開きを防ぐことができて、上記第１の扉本体１と上記第３の扉本体３の損傷を防止することができる。また、上記第３の扉本体３の上面の上記凹溝３１は、上記第１の扉本体１および上記第３の扉本体３が閉じられた状態で上記第１の扉本体１の下面に重なるので、上記第３の扉本体３の上記凹溝３１は、デッドスペースに設けられており、邪魔にならない。
【００６２】
また、上記保護部材５は、上記第１の扉本体１と上記第３の扉本体３に同時に取り付けられるので、上記保護部材５を冷蔵庫へ迅速に取り付けることができて、作業性が向上する。
【００６３】
また、上記保護部材５の上記第２の突起部５２は、上記第１の扉本体１の下面によって、上記第３の扉本体３の上記凹溝３１から抜け出ないように上方向の移動を規制されているので、上記保護部材５を上記第１の扉本体１と上記第３の扉本体３に確実に固定することができる。このように、上記保護部材５が冷蔵庫から離脱することを一層確実に防ぐことができる。
【００６４】
また、上記保護部材５の上記第３の突起部５３が、上記第１の扉本体１の上記開閉側の側面１２に接触することで、上記保護部材５は、上記第１の扉本体１に対して、上記冷蔵庫本体６への取付側への移動を抑制される。例えば、冷蔵庫の運搬時に、上記保護部材５の位置ずれを防ぐことができて、上記第１の扉本体１と上記第３の扉本体３の損傷を防止することができる。
【００６５】
また、上記保護部材５の上記第３の突起部５３が、上記第１の扉本体１の上記開閉側の側面１２に接触することで、上記保護部材５が上記第１の扉本体１と上記第３の扉本体３に取り付けられた目安になって、上記保護部材５を冷蔵庫に速やかに取り付けることができて、作業性が一層向上する。
【００６６】
また、上記保護部材５の上記第３の突起部５３は、上記第１の扉本体１の上記開閉側の側面１２と、上記第４の扉本体４の上記第１の扉本体１に対向する側面４２との間に、挟まれるので、上記保護部材５は、冷蔵庫に対して、上下左右方向に確実に位置決めされる。このように、上記保護部材５が冷蔵庫から離脱することを一層確実に防ぐことができる。
【００６７】
また、上記保護部材５は、上記第１の扉本体１、上記第２の扉本体２、上記第３の扉本体３および上記第４の扉本体４の前面に重なるので、冷蔵庫の運搬時等に、上記第１〜上記第４の扉本体１，２，３，４の損傷および開きを防止できる。
【００６８】
また、上記保護部材５は、一体成型からなるので、上記保護部材５を上記第１の扉本体１に取り付ける前に、上記保護部材５を組み立てる必要がなくて、上記保護部材５をそのまま上記第１の扉本体１に取り付けることができて、作業性が向上する。
【００６９】
また、上記保護部材５は、発泡スチロールからなるので、上記保護部材５は、軽量であり、上記保護部材５を容易に持ち運ぶことができる。また、上記保護部材５の製造や加工が、容易になる。
【００７０】
なお、この発明は上述の実施形態に限定されない。例えば、上記第１の突起部５１および上記第２の突起部５２は、短尺であってもよい。また、上記第３の突起部５３は、上記第１の突起部５１および上記第２の突起部５２に連結されていなくてもよい。また、上記第３の突起部５３は、短尺であってもよい。
【００７１】
また、上記第４の扉本体４を開けておけば、上記第１の扉本体１および上記第３の扉本体３を閉じた状態でも、上記保護部材５を上記第１の扉本体１および上記第３の扉本体３に同時に取り付けることができる。すなわち、上記保護部材５は、上記第１の扉本体１および上記第３の扉本体３の開状態または閉状態の何れでも、扉に取り付けることができる。
【００７２】
また、上記保護部材５に上記第１の突起部５１および上記第２の突起部５２のみを設けて、上記第１の突起部５１および上記第２の突起部５２で、上記第１の扉本体１を挟んで、上記保護部材５の上方向の移動を規制するようにしてもよい。
【００７３】
また、上記保護部材５に上記第１の突起部５１のみを設けて、上記第１の扉本体１および上記第２の扉本体２で、上記第１の突起部５１を挟んで、上記保護部材５の上方向の移動を規制するようにしてもよい。
【００７４】
また、上記保護部材５は、上記第１の扉本体１の左右両側面のそれぞれに接触する突起部を有してもよい。また、上記第１の扉本体１の左右側面に凹溝を形成して、この凹溝に嵌合するように、上記保護部材５に突起部を設けてもよい。
【図面の簡単な説明】
【００７５】
【図１】本発明の冷蔵庫扉の保護構造の第１実施形態を示す斜視図である。
【図２】冷蔵庫扉を閉じた状態を示す側面断面図である。
【図３】保護部材の斜視図である。
【図４】冷蔵庫扉を開けた状態を示す正面図である。
【図５】冷蔵庫扉を開けた状態を示す側面断面図である。
【符号の説明】
【００７６】
１    第１の扉本体（製氷室扉）
１１    凹溝
１２    開閉側の側面
２    第２の扉本体（冷蔵室扉）
３    第３の扉本体（冷凍室扉）
３１    凹溝
３２    開閉側の側面
４    第４の扉本体（野菜室扉）
４２    対向する側面
５    保護部材
５０    本体部
５１    第１の突起部
５２    第２の突起部
５３    第３の突起部
６    冷蔵庫本体
【図１】
2006123979.tif 000003
【図２】
2006123979.tif 000004
【図３】
2006123979.tif 000005
【図４】
2006123979.tif 000006
【図５】
2006123979.tif 000007